(57)【要約】【課題】    本発明の目的は、切断箇所の増大化を図って離解力を向上させたパルパーを提供するものである。【解決手段】    パルパーＰは、上部に製紙原料投入口１ａ、下部に排出口１ｂを有し、製紙原料と水を受け入れる槽１と、この槽１の排出口１ｂを覆うように設けられたストレーナ４と、槽１内のストレーナ４の上に設けられ、前記製紙原料を離解させるロ−タ５と、このロ−タ５の前縁部より突出すると共に、ストレーナ４に向かうように設けられた突出状部材５Ａ、５Ｂとを備え、この突出状部材５Ａ、５Ｂの垂直方向を横断する方向の断面は略多角形である。【選択図】図２
2013139659.tif 000002
【特許請求の範囲】
【請求項１】
上部に製紙原料投入口、下部に排出口を有し、製紙原料と水を受け入れる槽と、
この槽の前記排出口を覆うように設けられたストレーナと、
前記槽内の前記ストレーナの上に設けられ、前記製紙原料を離解させるロ−タと、
このロ−タの前縁部より突出すると共に、前記ストレーナに向かうように設けられた突出状部材とを備え、
この突出状部材の垂直方向を横断する方向の断面は略多角形である
ことを特徴とするパルパー。
【請求項２】
上部に製紙原料投入口、下部に排出口を有し、製紙原料と水を受け入れる槽と、
この槽の前記排出口を覆うように設けられたストレーナと、
前記槽内の前記ストレーナの上に設けられ、前記製紙原料を離解させるロ−タと、
このロ−タの前縁部より突出すると共に、前記ストレーナに向かうように設けられた突出状部材とを備え、
この突出状部材の垂直方向を横断する方向の断面は略多角形であり、
前記突出状部材を間隔を有して前記ロ−タの前縁部に複数形成する
ことを特徴とするパルパー。
【請求項３】
ロ−タの前縁部に取り付けられた複数の突出状部材から、前記ロ−タの裏面であって、前記ロ−タの側縁部又は後縁部に向かう方向に長く形成すると共に、複数の前記突出状部材のそれぞれと一体的に接続された複数の長手形状部材とを備え、
複数の前記長手形状部材が前記ロ−タの裏面に取り付けられている
ことを特徴とする請求項２記載のパルパー。
【請求項４】
ロ−タの前縁部に取り付けられた突出状部材から前記ロ−タの裏面であって、前記ロ−タの側縁部又は後縁部に向かう方向に長く形成すると共に、前記突出状部材と一体的に接続された長手形状部材とを備え、
前記長手形状部材が前記ロ−タの裏面に取り付けられている
ことを特徴とする請求項２記載のパルパー。
【発明の詳細な説明】
【技術分野】
【０００１】
本発明は、パルパーに係り、特に、切断箇所の増大化を図ったパルパーに関する。
【背景技術】
【０００２】
従来、槽内にパルプ、古紙等の製紙原料を投入して水中で離解させるパルパーにあって、該パルパーの槽内に設けたローターにより槽内の製紙原料を回流させながら、製紙原料を離解させている（特許文献１参照）。
【先行技術文献】
【特許文献】
【０００３】
【特許文献１】特開２０１１−２６７１５号公報
【発明の概要】
【発明が解決しようとする課題】
【０００４】
しかしながら、上述したパルパーにあっては、ローターによる製紙原料の切断は、ローター前縁部であり、離解力の点で改善の余地があった。
【０００５】
本発明は、上記の問題点を考慮してなされたもので、切断箇所の増大化を図って離解力を向上させたパルパーを提供することを目的とする。
【課題を解決するための手段】
【０００６】
請求項１記載のパルパーは、上部に製紙原料投入口、下部に排出口を有し、製紙原料と水を受け入れる槽と、この槽の前記排出口を覆うように設けられたストレーナと、前記槽内の前記ストレーナの上に設けられ、前記製紙原料を離解させるロ−タと、このロ−タの前縁部より突出すると共に、前記ストレーナに向かうように設けられた突出状部材とを備え、この突出状部材の垂直方向を横断する方向の断面は略多角形である。
【０００７】
また、請求項２記載のパルパーは、上部に製紙原料投入口、下部に排出口を有し、製紙原料と水を受け入れる槽と、この槽の前記排出口を覆うように設けられたストレーナと、前記槽内の前記ストレーナの上に設けられ、前記製紙原料を離解させるロ−タと、このロ−タの前縁部より突出すると共に、前記ストレーナに向かうように設けられた突出状部材とを備え、この突出状部材の垂直方向を横断する方向の断面は略多角形であり、前記突出状部材を間隔を有して前記ロ−タの前縁部に複数形成するものである。
【０００８】
また、請求項３記載のパルパーは、請求項２記載のパルパーにおいて、ロ−タの前縁部に取り付けられた複数の突出状部材から、前記ロ−タの裏面であって、前記ロ−タの側縁部又は後縁部に向かう方向に長く形成すると共に、複数の前記突出状部材のそれぞれと一体的に接続された複数の長手形状部材とを備え、複数の前記長手形状部材が前記ロ−タの裏面に取り付けられているものである。
【０００９】
また、請求項４記載のパルパーは、請求項２記載のパルパーにおいて、ロ−タの前縁部に取り付けられた突出状部材から前記ロ−タの裏面であって、前記ロ−タの側縁部又は後縁部に向かう方向に長く形成すると共に、前記突出状部材と一体的に接続された長手形状部材とを備え、前記長手形状部材が前記ロ−タの裏面に取り付けられているものである。
【発明の効果】
【００１０】
請求項１記載のパルパーによれば、上部に製紙原料投入口、下部に排出口を有し、製紙原料と水を受け入れる槽と、この槽の前記排出口を覆うように設けられたストレーナと、前記槽内の前記ストレーナの上に設けられ、前記製紙原料を離解させるロ−タと、このロ−タの前縁部より突出すると共に、前記ストレーナに向かうように設けられた突出状部材とを備え、この突出状部材の垂直方向を横断する方向の断面は略多角形であるため、ロ−タの前縁部による製紙原料の切断に加え、突出状部材の断面が略多角形のコーナーのエッジでも製紙原料を切断して、製紙原料の離解を促進することができる。
【００１１】
また、請求項２記載のパルパーによれば、上部に製紙原料投入口、下部に排出口を有し、製紙原料と水を受け入れる槽と、この槽の前記排出口を覆うように設けられたストレーナと、前記槽内の前記ストレーナの上に設けられ、前記製紙原料を離解させるロ−タと、このロ−タの前縁部より突出すると共に、前記ストレーナに向かうように設けられた突出状部材とを備え、この突出状部材の垂直方向を横断する方向の断面は略多角形であるため、ロ−タの前縁部による製紙原料の切断に加え、突出状部材の断面が略多角形のコーナーのエッジでも製紙原料を切断して、製紙原料の離解を促進することができ、しかも、突出状部材をロ−タの前縁部に複数形成するため、突出状部材の断面が略多角形のコーナーのエッジによる製紙原料の切断が増加し、製紙原料の離解をより促進することができる。
【００１２】
また、請求項３記載のパルパーによれば、上述した請求項２記載の発明の効果に加え、ロ−タの前縁部に取り付けられた複数の突出状部材から、前記ロ−タの裏面であって、前記ロ−タの側縁部又は後縁部に向かう方向に長く形成すると共に、複数の前記突出状部材のそれぞれと一体的に接続された複数の長手形状部材とを備え、複数の前記長手形状部材が前記ロ−タの裏面に取り付けられているため、隣接する突出状部材との間に取り込まれた製紙原料がロ−タの裏面から槽内へ戻ろうとする際、長手形状部材が一種の壁となって、製紙原料がロ−タの裏面から槽内へ戻るのを防いで、ストレーナに導くようにすることができる。
【００１３】
また、請求項４記載のパルパーによれば、上述した請求項２記載の発明の効果に加え、ロ−タの前縁部に取り付けられた突出状部材から前記ロ−タの裏面であって、前記ロ−タの側縁部又は後縁部に向かう方向に長く形成すると共に、前記突出状部材と一体的に接続された長手形状部材とを備え、前記長手形状部材が前記ロ−タの裏面に取り付けられているため、突出状部材に取り込まれた製紙原料がロ−タの裏面から槽内へ戻ろうとする際、長手形状部材が一種の壁となって、製紙原料がロ−タの裏面から槽内へ戻るのを防いで、ストレーナに導くようにすることができる。
【図面の簡単な説明】
【００１４】
【図１】図１は、本発明の一実施例のパルパーの概略的断面図である。
【図２】図２は、図１のパルパーのロ−タとストレーナの概略的分解斜視図である。
【図３】図３は、図２のロ−タの概略的平面図である。
【図４】図４は、図３のＡの矢印方向から見た概略的図である。
【図５】図５は、図４の５−５線による概略的断面図である。
【図６】図６は、図３のＢの矢印方向から見た概略的図である。
【図７】図７は、図６の７−７線による概略的断面図である。
【図８】図８は、図２のロ−タの他の実施例のロ−タの概略的斜視図である。
【図９】図９は、図８のパルパー一部を拡大して示す概略的一部拡大斜視図である。
【図１０】図１０は、図８のロ−タを裏面側から見た概略的斜視図である。
【図１１】図１１は、図８の一部を分解して示す概略的分解斜視図である。
【図１２】図１２は、図１１の他の実施例の概略的分解斜視図である。
【発明を実施するための形態】
【００１５】
本発明の一実施例のパルパーを図面を参照して説明する。
図１に示すＰは、槽１内にパルプ、古紙等の製紙原料を投入して水中で離解させるパルパーで、該パルパーＰは、上部に製紙原料投入口１ａ、下部に排出口１ｂを有し、製紙原料と水を受け入れる槽１を有している。
槽１は、下方に位置する逆円錐台部１Ａと、上方に位置する円筒部１Ｂとを有し、円筒部１Ｂは逆円錐台部１Ａに接続されている。
パルプ、古紙等の製紙原料（図示せず）は、槽１内へコンベア（図示せず）により連続的に供給され、また、水は第１のパイプ（図示せず）により槽１内へ供給され、槽１内で離解された製紙原料は第２のパイプ２により、槽１外へと排出されるようになっている。なお、図１に示す３、３は、槽１を支持する脚部である。
【００１６】
また、図１及び図２に示す４は、槽１の排出口１ｂを覆うように設けられたストレーナで、ストレーナー４は、例えば、丸孔を多数形成した円板状のものである。５は、ストレーナ４の上に設けられ、製紙原料を離解させるロ−タである。ロ−タ５は、モータ６から伝達された動力をベルト７、プーリー８、回転軸９を介して回転されるようになっている。
【００１７】
また、図２及び図３に示す５Ａ、５Ｂは、ロ−タ５の羽根の前縁部（前縁部は、５ａ１から５ａ２に至る部位又は５ｂ１から５ｂ２に至る部位である。）より突出すると共に、ストレーナ４に向かうように設けられた突出状部材で、この突出状部材５Ａ、５Ｂの垂直方向を横断する方向の断面は略多角形（突出状部材５Ａ、５Ｂの垂直方向を横断する方向の断面は、本実施例では、図４乃至図７に示すように四角形であるが、本願発明にあっては、これに限らず、正方形、長方形、ひし形、台形、三角形等でも良い。）であり、突出状部材５Ａ、５Ｂは、それぞれ、間隔を有してロ−タ５の前縁部（前縁部は、５ａ１から５ａ２に至る部位又は５ｂ１から５ｂ２に至る部位である。）に複数形成されている。
なお、図３に示すロ−タ５の羽根の５ａ１’から５ａ２’に至る部位又は５ｂ１’から５ｂ２’に至る部位は、ロ−タ５の羽根の後縁部であり、ロ−タ５の羽根の５ｂ２から５ｂ２’に至る部位又は５ａ２から５ａ２’に至る部位は、ロ−タ５の羽根の側縁部である。
【００１８】
従って、上述したパルパーＰによれば、ロ−タ５の回転により製紙原料は槽１内を回流して、ロ−タ５の羽根の前縁部（前縁部は、５ａ１から５ａ２に至る部位又は５ｂ１から５ｂ２に至る部位である。）によって製紙原料は、切断される。また、突出状部材５Ａ、５Ｂの断面が略多角形のコーナーのエッジ５ＡＲ、５ＢＲ（図４乃至図７参照）でも製紙原料が切断され、製紙原料の離解が促進される。
なお、特に、突出状部材５Ａ、５Ｂをロ−タ５の前縁部（５ａ１から５ａ２に至る部位。５ｂ１から５ｂ２に至る部位。）に複数形成するため、突出状部材５Ａ、５Ｂの断面が略多角形のコーナーのエッジ５ＡＲ、５ＢＲ（図４乃至図７参照）による製紙原料の切断が増加し、製紙原料の離解をより促進することができる。
【００１９】
次に述べる実施例にあっては、上述した実施例のロ−タ５の羽根の裏面５Ｒに長手形状部材５Ｌを設けたものである。
長手形状部材５Ｌは、ロ−タ５の前縁部（前縁部は、図８で言えば、５ｂ１から５ｂ２に至る部位である。）に取り付けられた複数の突出状部材５Ｂ、５Ｂから、ロ−タ５の裏面５Ｒであって、ロ−タ５の側縁部（側縁部は、図８で言えば、５ｂ２から５ｂ２’に至る部位である。）に向かう方向に長く形成すると共に、複数の突出状部材５Ｂ、５Ｂのそれぞれに接続されたもので、複数ある。
この複数の長手形状部材５Ｂ、５Ｂがロ−タ５の裏面５Ｒに、例えば、ボルトＢで取り付けられている。
なお、図１０及び図１１においては、長手形状部材５Ｌは、突出状部材５Ｂからロ−タ５の裏面５Ｒであって、ロ−タ５の側縁部（側縁部は、図８で言えば、５ｂ２から５ｂ２’に至る部位である。）に向かう方向に長く形成したが、本願発明にあっては、これに限らず、図示しないが、長手形状部材５Ｌは、突出状部材５Ｂからロ−タ５の裏面５Ｒであって、ロ−タ５の後縁部（後縁部は、図８で言えば、５ｂ２から５ｂ２’に至る部位である。）に向かう方向に長く形成するようにしても良い。
その結果、隣接する突出状部材５Ｂ、５Ｂとの間に取り込まれた製紙原料がロ−タ５の裏面５Ｒから槽１（図１参照）内へ戻ろうとする際、長手形状部材５Ｌが一種の壁となって、製紙原料がロ−タ５の裏面５Ｒから槽１内へ戻るのを防いで、ストレーナ４（図１参照）に導くようにすることができる。
【００２０】
なお、ロ−タ５の羽根の裏面５Ｒに長手形状部材５Ｌは、長手形状部材５Ｂと一体的に設けたが、図１２に示すように、分離して形成しても良いし、また、複数の突出状部材５Ｂ、５Ｂ毎にそれぞれ長手形状部材５Ｌを設けるようにしたが、場合により突出状部材５Ｂは複数で、複数の突出状部材５Ｂの何れか一つに長手形状部材５Ｌが設けられるようにしても良い。
【符号の説明】
【００２１】
Ｐ      パルパー
１      槽
４      ストレーナ
５      ロ−タ
５Ａ    突出状部材
５Ｂ    突出状部材
【図１】
2013139659.tif 000003
【図２】
2013139659.tif 000004
【図３】
2013139659.tif 000005
【図４】
2013139659.tif 000006
【図５】
2013139659.tif 000007
【図６】
2013139659.tif 000008
【図７】
2013139659.tif 000009
【図８】
2013139659.tif 000010
【図９】
2013139659.tif 000011
【図１０】
2013139659.tif 000012
【図１１】
2013139659.tif 000013
【図１２】
2013139659.tif 000014